(57)【特許請求の範囲】
【請求項１】
景品球タンクの一側壁外面に差込片を設けると共に他側壁外面に係止片を設け、後壁には係合部を設け、一方、機構板の裏面に前記景品球タンクが取り付けられる収容凹部を形成し、前記収容凹部の両側縁に前記景品球タンクを横方向へスライドさせて取り付けるよう前記差込片及び前記係止片が嵌入される嵌入部及び係止溝を設け、前記収容凹部の底部の上端一側には前記係合部に係合して景品球タンクの外れを防止する弾性突片を設け、また、前記収容凹部の底部上端と下縁部に、前記景品球タンクが取り付けられたとき、その後壁の上端縁と該後壁寄りの底壁から下方へ延設され該後壁と平行をなす受止板部の下端縁に接して景品球タンクの傾きを防止する規制突条を設けたことを特徴とするパチンコ機における景品球タンクの取付構造。
【請求項２】
前記受止板部の下端に切欠凹部を設け、前記収容凹部の底部に先端に爪部を有する掛止片を突設し、前記収容凹部に景品球タンクを取り付けた状態では、前記切欠凹部に掛止片が嵌入すると共にその先端の爪部が前記切欠凹部の一側縁に設けられた凹溝に係脱自在に係合するようにした請求項１記載のパチンコ機における景品球タンクの取付構造。
【発明の詳細な説明】
【０００１】
【産業上の利用分野】
本発明は、パチンコ機における景品球タンクの取付構造の改良に関するものである。
【０００２】
【従来の技術】
従来、景品球タンクの取付構造として例えば特開平５−１４６５４６号公報に開示されるものが有る。
この取付構造は、景品球タンクの一側壁外面に差込片を設けると共に、他側壁外面に挿入孔を開設した係止片を設け、一方、機構板の裏面に形成される景品球タンクの収容凹部の一側縁に嵌入部を設けると共に、他側縁にはその先端に係止爪を有する突出片を設けて構成されている。そして、景品球タンクの差込片を嵌入部に嵌入し、更に係止片を機構板側に押圧してその挿入孔に突出片を弾発力に抗して押し開きながら嵌入し、突出片先端の係止爪を挿入孔に係止することにより景品球タンクを取り付けるようにしている。
【０００３】
【発明が解決しようとする課題】
ところで、前記景品球タンクや機構板は硬質の合成樹脂により成形されており、その景品球タンクの取付構造では、突出片の弾力性が比較的少なく、ややもすると景品球タンクの取付時などに突出片が破損する場合が有った。ところが、突出片は機構板に一体に設けられているので、結果機構板ごと新しいものと交換せねばならず、コスト的に損失が大きいばかりか種々の裏機構部品を取り外すなど極めて面倒で時間の掛かる作業を強いられるという課題が有った。
そこで、本発明は上記課題を解決すべくなされたもので、破損のおそれが全くなく景品球タンクが取り付けられるようにしたパチンコ機における景品球タンクの取付構造を提供することを目的とするものである。
【０００４】
【課題を解決するための手段】
かかる目的を達成するため、本発明の景品球タンクの取付構造は、景品球タンクの一側壁外面に差込片を設けると共に他側壁外面に係止片を設け、後壁には係合部を設け、一方、機構板の裏面に前記景品球タンクが取り付けられる収容凹部を形成し、前記収容凹部の両側縁に前記景品球タンクを横方向へスライドさせて取り付けるよう前記差込片及び前記係止片が嵌入される嵌入部及び係止溝を設け、前記収容凹部の底部の上端一側には前記係合部に係合して景品球タンクの外れを防止する弾性突片を設け、また、前記収容凹部の底部上端と下縁部に、前記景品球タンクが取り付けられたとき、その後壁の上端縁と該後壁寄りの底壁から下方へ延設され該後壁と平行をなす受止板部の下端縁に接して景品球タンクの傾きを防止する規制突条を設けた構成とするものである。
この際、前記受止板部の下端に切欠凹部を設け、前記収容凹部の底部に先端に爪部を有する掛止片を突設し、前記収容凹部に景品球タンクを取り付けた状態では、前記切欠凹部に掛止片が嵌入すると共にその先端の爪部が前記切欠凹部の一側縁に設けられた凹溝に係脱自在に係合するようにすることが好ましい。
【０００５】
【作用】
景品球タンクを機構板裏面の収容凹部に当てがい、横方向へスライドさせて差込片を嵌入部へ嵌入すると共に、係止片を係止溝へ嵌入する。これにより景品球タンクが機構板に取り付けられ、しかも弾性突片が係合部に係合することで、景品球タンクが無用の外力により外れるようなこともない。
【０００６】
【実施例】
以下本発明に係るパチンコ機における景品球タンクの取付構造の一実施例を図面と共に説明する。図１は本発明が適用されるパチンコ機の裏面図を示し、図中１は機枠、２は前面枠、３は遊技盤であり、該遊技盤３の裏面に機構板４が開閉自在に装着されている。該機構板４の裏面には、景品球タンク５、景品球タンク５に貯留されるパチンコ球を導く導出樋６、該導出樋６のパチンコ球を受け入れパチンコ機の前面に払い出す景品球払出装置７及び入賞球を処理する入賞球処理装置８などの一連の裏機構部品がそれぞれ装着されている。これら裏機構部品及び機構板４は硬質の合成樹脂により成形されている。
【０００７】
しかして、図２は景品球タンク５を機構板４に取り付けた状態を示す斜視図、図３は景品球タンク５を機構板４から取り外した状態を示す斜視図である。そこで、景品球タンク５は上面が開放される略直方体形状からなり、その一側壁５ａ外面に差込片９が設けられ、他側壁５ｂ外面に縦長の挿入孔１０を有する係止片１１が設けられている。また、後壁５ｃの上端縁に切欠状の係合部１２が設けられている。更に、景品球タンク５の底壁５ｄには後壁５ｃ寄りに該後壁５ｃと平行をなす受止板部１３が下方へ延設されている。該受止板部１３は景品球タンク５を後記する機構板４の収容凹部１４に取り付けた際、該収容凹部１４の下縁部１４ｄに当接して球重量により景品球タンク５が後側へ傾くのを防止するためのものである。
【０００８】
一方、機構板４の裏面には、景品球タンク５を取り付ける収容凹部１４が形成されている。そして、該収容凹部１４の一側縁１４ａに側面が開放し前記差込片９を嵌入させる嵌入部１５が設けられている。また、他側縁１４ｂに外向きの鉤状片１６が突設され、該鉤状片１６の内側に前記係止片１１が嵌入する係止溝１７が設けられている。収容凹部１４の底部１４ｃにはその上端一側に嵌入部１５側へ突出し、その先端部１８ａが収容凹部１４内に僅かに臨む弾性突片１８が設けられており、該弾性突片１８が前記係合部１２へ係合することにより取り付けられる景品球タンク５の外れを防止するようにしている。また、収容凹部１４の底部１４ｃ上端と収容凹部１４の下縁部１４ｄにそれぞれ水平な規制突条１９ａ，１９ｂが設けられる。これら規制突条１９ａ，１９ｂは景品球タンク５が収容凹部１４に取り付けられたとき、その後壁５ｃの上端縁と受止板部１３の下端縁に接っして景品球タンク５を支持し、前記受止板部１３と同様に景品球タンク５が球重量により後側へ傾くのを防止するようにしている。
【０００９】
本発明は上記構成からなり、先ず図４，図５の鎖線に示すように、挿入孔１０に鉤状片１６を挿入して景品球タンク５を収容凹部１４の底部１４ｃに当てがう。そして、この状態で景品球タンク５を横方向（図４の矢視方向）へスライドさせ、差込片９を嵌入部１５へ、また係止片１１を係止溝１７へそれぞれ嵌入する。この際、弾性突片１８が図６に示す係合部１２に係合するので、景品球タンク５の外れ（図４の矢視方向とは逆向きの動作）が防止される。このようにして、景品球タンク５が図４，図５の実線に示すように取り付けられる。
【００１０】
また、景品球タンク５が取り付けられた状態では、前記係止片１１の裏面に設けられた２つの突出部２０，２０が、鉤状片１６の上下両端に対応位置して設けられた凹窪部２１，２１に係合するようになっている。一方、図７に示すように受止板部１３の下端に設けられた切欠凹部２２に収容凹部１４の底部１４ｃから突設される掛止片２３が嵌入し、その先端の爪部２３ａが前記切欠凹部２２の一側縁に設けられた凹溝２４に係脱自在に係合するようになっている。このように、景品球タンク５は係止溝１７，嵌入部１５，掛止片２３及び両規制突条１９ａ，１９ｂにより周囲を強固に固定されることとなり、貯留されるパチンコ球の球重量などにも充分耐え得るようになっている。
【００１１】
【発明の効果】
以上述べたように、本発明に係る景品球タンクの取付構造によれば、景品球タンクを機構板の裏面に当てがい横へスライドすることによりワンタツチ式に取り付けられるので、従来の如く突出片をその弾発力に抗して押し開くといったことがなく、これにより景品球タンクの取り付け時などに機構板が破損するという心配も無い。よって、機構板の面倒な交換作業もなくなり、作業能率が向上するという効果を有する。
【図面の簡単な説明】
【図１】  パチンコ機の裏面図。
【図２】  景品球タンクの取付状態を示す斜視図。
【図３】  景品球タンクを取り外した状態を示す斜視図。
【図４】  景品球タンクの取付状態を示す平面断面図。
【図５】  図４のＸーＸ線断面図。
【図６】  図５のＹーＹ線断面図。
【図７】  図５のＺーＺ線断面図。
【符号の説明】
４              機構板
５              景品球タンク
５ａ            一側壁
５ｂ            他側壁
５ｃ            後壁
５ｄ            底壁
９              差込片
１１            係止片
１２            係合部
１３            受止板部
１４            収容凹部
１４ａ          一側縁
１４ｂ          他側縁
１４ｃ          底部
１４ｄ          下縁部
１５            嵌入部
１７            係止溝
１８            弾性突片
１９ａ          規制突条
１９ｂ          規制突条
２２            切欠凹部
２３            掛止片
２３ａ          爪部
２４            凹溝
【図１】
0003678764.tif 000002
【図２】
0003678764.tif 000003
【図３】
0003678764.tif 000004
【図４】
0003678764.tif 000005
【図５】
0003678764.tif 000006
【図６】
0003678764.tif 000007
【図７】
0003678764.tif 000008